(57)【要約】  【課題】  培養土内の気圧を大気圧に近づけるための園芸用支柱において、栽培効果を高めることを課題とする。  【解決手段】  中空のパイプから形成される支柱本体と、支柱の側面に複数形成される外面と内面を連通させる孔であって、外面から内面に向って孔の断面の面積が小さくなっていく孔である通気孔とを有する園芸用支柱を培養土に差し込むことで培養土内部を大気に近づけることができ、さらに、外面から内面に向って断面積が一定の通気孔を設ける場合に比して栽培効率を高くすることができる。【選択図】  図３
2006288293.tif 000002
【特許請求の範囲】
【請求項１】
中空のパイプから形成される支柱本体と、
前記支柱本体の側面に複数形成される外面と内面を連通させる孔であって、外面から内面に向って孔の断面の面積が小さくなっていく孔である通気孔と
を有する園芸用支柱。
【請求項２】
前記通気孔は円形であり外面から内面に向って孔の内径が小さくなっていくものである請求項１に記載の園芸用支柱。
【請求項３】
前記通気孔は上端近傍に少なくとも一つ設けられるとともに、下端側に一以上設けられるものである請求項１又は２に記載の園芸用支柱。
【請求項４】
前記支柱本体の下端が先鋭である請求項１から３のいずれか１項に記載の園芸用支柱。
【請求項５】
前記支柱本体の下端側にスクリューが形成されている請求項１から４のいずれか１項に記載の園芸用支柱。
【発明の詳細な説明】
【技術分野】
【０００１】
本発明は園芸において使用する支柱に関し、特に土の内部の気圧を調整する支柱に関する。
【背景技術】
【０００２】
園芸においては、長期にわたって栽培をするために表土が硬くなってしまい、これにより栽培効率が下がることがある。図６を用いてこのことを説明する。図６は園芸に用いられるプランターの断面を示したものである。プランターの内部は底に小石S等を敷かれ、その上に培養土Cが載せられている。このような状態で、長期にわたり栽培を続けると表面の培養土Cａが硬くなり通気性が悪くなる。この結果、内部の培養土Ｃｂ内において上方からの大気圧がほとんどかからなくなり、プランターの底に水Ｗが溜まると、底からの大気圧Ｐによりこの水Ｗが排出しにくくなってしまう。そして、水Ｗが長期間排出されないと水Ｗの重さにより内部の培養度Ｃｂ内の圧力がさらに減圧されてしまう。このような状態になると、植物の根の周囲の気圧が低くなる結果、十分に水分や養分を吸収することが困難になり、植物が適切に育成できないという結果となっていた。
これを解決するには、培養土内部の気圧を大気圧に近づければよい。これには、内部の培養土と大気とを連通させれば足り、例えば、下記特許文献１に示されている中空のパイプに孔を空けた支柱を培養土に差し込めば培養土内部の気圧を大気圧に近づけることができると考えられる。
【特許文献１】特開平９−２８２０２号公報
【発明の開示】
【発明が解決しようとする課題】
【０００３】
そこで、本願発明者は、支柱に孔を開けて実験してみたところ良好な結果が得られたが、その過程において、支柱にドリルにより孔を空けた場合と、釘により孔を空けた場合とでは明確に結果が異なることを見出した。この理由は定かではないが、ドリルで開けた孔は内径が一定であり、支柱を地面に突き刺す際に土が詰まりやすい一方、釘により空けた孔は内径が外面から内面に向って小さくなるため地面に突き刺す際に土が詰まりにくいことが一因であると推測できる。
本発明は、このような経験に基づき、培養土内の気圧を大気圧に近づけるための園芸用支柱において、栽培効果を高めることを課題とする。
【課題を解決するための手段】
【０００４】
上記課題を解決するために、本発明は次のような構成を有する。
請求項１に記載の発明は、中空のパイプから形成される支柱本体と、支柱の側面に複数形成される外面と内面を連通させる孔であって、外面から内面に向って孔の断面の面積が小さくなっていく孔である通気孔とを有する園芸用支柱である。
請求項２に記載の発明は、前記園芸用支柱において、前記通気孔は円形であり外面から内面に向って孔の内径が小さくなっていくものである。
請求項３に記載の発明は、前記園芸用支柱において、前記通気孔は上端近傍に少なくとも一つ設けられるとともに、下端側に一以上設けられるものである。
請求項４に記載の発明は、前記園芸用支柱において、前記支柱本体の下端が先鋭になっているものである。
請求項５に記載の発明は、前記園芸用支柱において、前記支柱本体の下端側にスクリューが形成されているものである。
【発明の効果】
【０００５】
請求項１に記載の発明は、培養土に差し込むことで培養土内部を大気に近づけることができ、さらに、外面から内面に向って断面積が一定の通気孔を設ける場合に比して栽培効率を高くすることができる。
請求項２に記載の発明は、通気孔を円形としたので角張った形状のものに比べて土などが付着しにくく孔が詰まりにくいので、通気孔率を高くすることができる。
請求項３に記載の発明は、通気孔を上端近傍に設けることで支柱本体を深く差し込んでも上端が大気中にあれば通気が可能となり、また、下端側に一以上設けられることで、この部分が培養土内部に位置する程度に浅く差し込んでもよいので支柱の差し込む深さの幅を大きくすることができる。
請求項４に記載の発明は、前記支柱本体の下端が先鋭になっているので、培養土中に差し込む際に抵抗が少なく、差し込み易くすることができる。
請求項５に記載の発明は、前記支柱本体の下端側にスクリューが形成されていることで、培養土が硬くても支柱本体をスクリューが進む方向に回転させることで支柱本体を培養土内に差し込むことができる。
【発明を実施するための最良の形態】
【０００６】
以下、本発明の実施形態について図面を参照しながら説明する。
図１に本実施形態に係る園芸用支柱Ｘの正面図を示し、図２に園芸用支柱Ｘの下端近傍を示し、図３に図２のＡ−Ａ断面図を示す。園芸用支柱Ｘは長尺のパイプからなる支柱本体１、支柱本体の外面から内面を連通させる複数の通気孔２ａ、２ｂ、支柱本体１の下端にかぶせられる先端の尖がった合成樹脂性のキャップ３、支柱本体１の上端にかぶせられるキャップ３と同じ形状を有する蓋４、支柱本体１の下端に設けられるコイル５とから構成される。
支柱本体１は直径１１ｍｍ、長さ１ｍの鋼管であり外周に合成樹脂性のコーティングが施されている。
下端側の通気孔２ａは支柱本体１の長手方向に下端から３ｃｍ間隔で並ぶように１０個配列している。そして、対向する側にも同様に設けられることで下端側には合計２０個の通気孔が形成される。上端近傍の通気孔２ｂは上端から３ｃｍの位置に一つ形成されている。各通気孔２ａ、２ｂは外部からパンチングにより打ちぬかれることで形成され、内面部分の開口の直径が約３ｍｍであり、図３に示すように外面に向って直径が大きくなるように形成されている。なお、ここに挙げている支柱本体の大きさや穴の大きさ、間隔等は例示であり、状況に応じて種々の大きさのものを使用することができる。
コイル５は弾性のあるバネ鋼の線材をコイル状に形成したものであり、支柱本体１の下端の通気孔２ａに両端部が係合することで固定されている。このコイル５により支柱本体１の下端にスクリューが形成される。コイル５を弾性のある部材で形成し、これを通気孔２ａに係合させるようにすることで、コイル５は不要な場合は取り外すことができる。
【０００７】
次に、以上のような構成を有する園芸用支柱Ｘの使用方法について説明する。図４に園芸用支柱Ｘの使用例を示す。これはポリエチレン製の栽培袋Ｂを使用して栽培をしている状態を示している。栽培袋Ｂは２０リットルの大きさで下部に排水口Ｂａが複数形成されている。この栽培袋Ｂに培養土Ｃを入れ園芸用支柱Ｘを突き刺す。なお、図では園芸用支柱Ｘからコイル５を取り去った状態を示しているが、必要に応じてコイル５を装着してもよい。また、突き刺す本数は原則として２本以上が望ましい。そして、この状態で栽培を実施する。表面の培養土Ｃａが硬化しても、園芸用支柱Ｘにより内部の培養土Ｃｂは大気と連通するので、気圧を高い状態に維持することができ、植物の成長を促進することができる。さらに、通気孔１２ａを外面から内面に向って面積が小さくなるように形成することで、成長促進効果がより高まる。また、水はけが良好になるので、底に小石や荒土や腐葉土等を設ける必要がなくなる。なお、栽培袋として市販の袋入り培養土に用いられる袋をそのまま栽培袋として使用してもよく、この場合は、培養土を移し変える作業が不要になるので栽培作業の手間を軽減することができる。
【０００８】
実際に、本願発明者が長期間大根をこの方法で栽培した結果、園芸用支柱を使用しない場合は、１０ｃｍ位で根の生育がとまり、園芸用支柱Ｘの通気孔１２ａをドリルで形成し、外面から内面に至る面積が変わらない孔にした場合は、平均で２０ｃｍ位で大根の生育が止まり、本実施形態にかかる園芸用支柱Ｘを用いる場合は４０ｃｍ以上に大根が生育している。このことからも、通気孔１０ａを外面から内面に向って面積が小さくなるように形成することによる有意な効果があることが認められる。そして、病気、害虫にも強くなり、味も良好になり、雑草も生えにくいことが経験的に認められた。
また、上記のように園芸支柱Ｘを用いた袋栽培では連作障害の出やすいナスやトマトの栽培においても数年培養土を変えなくても連作障害が発生しなかった。
【０００９】
なお、本園芸用支柱はどのような植物に対しても効果があり、栽培方法も上記のような袋栽培に限らず、図５に示すように畝Ｕでの栽培に使用したり、鉢での栽培に使用したりすることができる。特に畝での栽培では雨の多いときに有効である。また、畝の表面が硬い場合は、コイル５を支柱本体１の先端に装着して支柱をコイルが進む方向に回転させることで容易に支柱先端を地面に埋めることができる。
また、ナスやトマトなどの支柱が必要な植物に適用する場合は、新たな支柱を用意する必要がなく、本園芸用支柱が植物を支持する支柱としての機能も果たすことができる。
【図面の簡単な説明】
【００１０】
【図１】実施形態に係る園芸用支柱の正面図である。
【図２】実施形態に係る園芸用支柱の先端近傍の拡大図である。
【図３】図２のＡ−Ａ断面図である。
【図４】実施形態に係る園芸用支柱の使用状態を示す一部破断正面図である。
【図５】実施形態に係る園芸用支柱の他の使用状態を示す断面図である。
【図６】プランター内部の状態を模式的に示す断面図である。
【符号の説明】
【００１１】
Ｘ          園芸用支柱
１          支柱本体
２ａ、２ｂ  通気孔
３          キャップ
５          コイル
【図１】
2006288293.tif 000003
【図２】
2006288293.tif 000004
【図３】
2006288293.tif 000005
【図４】
2006288293.tif 000006
【図５】
2006288293.tif 000007
【図６】
2006288293.tif 000008
【手続補正書】
【提出日】平成17年4月19日(2005.4.19)
【手続補正１】
【補正対象書類名】図面
【補正対象項目名】全図
【補正方法】変更
【補正の内容】
【図１】
2006288293.tif 000009
【図２】
2006288293.tif 000010
【図３】
2006288293.tif 000011
【図４】
2006288293.tif 000012
【図５】
2006288293.tif 000013
【図６】
2006288293.tif 000014